(57)【要約】【課題】ディスクドライブ装置に適応していないディスクカートリッジが挿入されたとき、そのことを利用者を速やかに知らせることのできるディスクカートリッジを提供する。【解決手段】ディスクカートリッジ１には、そのケース２の上端部１０に凹凸パターン１１が設けられている。この凹凸パターン１１は、ディスクの記録方式を識別するための識別マークであり、ディスクドライブ装置は、ディスクカートリッジ１が挿入されたときに、凹凸パターン１１を読み取って、挿入されたディスクカートリッジが当該ディスクドライブ装置に対応したものであるか否かを判断する。そして、対応したディスクカートリッジであれば、ディスクドライブ装置はディスクカートリッジをローディングして、読み書きを行う。【選択図】        図１
2004241025.tif 000002
【特許請求の範囲】
【請求項１】
情報記録媒体としてのディスクと、前記ディスクが回転自在に収納されたケースとを備え、
前記ケースには、前記ディスクを収納してディスクドライブ装置に装填されたときに、前記ディスクが前記ディスクドライブ装置に適合しているか否かを識別可能な識別マークが設けられていることを特徴とするディスクカートリッジ。
【請求項２】
請求項１に記載のディスクカートリッジにおいて、
前記識別マークは、凹凸パターンであることを特徴とするディスクカートリッジ。
【請求項３】
請求項１に記載のディスクカートリッジにおいて、
前記識別マークは、光の反射率が所定値以上の部分と所定値未満の部分とからなる光学的パターンであることを特徴とするディスクカートリッジ。
【請求項４】
請求項１に記載のディスクカートリッジにおいて、
前記識別マークは、光の透過率が所定値以上の部分と所定値未満の部分とからなる光学的パターンであることを特徴とするディスクカートリッジ。
【請求項５】
請求項１に記載のディスクカートリッジにおいて、
前記識別マークは、Ｎ極、Ｓ極、もしくはＮ極とＳ極とからなる磁気的パターンであることを特徴とするディスクカートリッジ。
【請求項６】
カートリッジ挿入室と、前記カートリッジ挿入室に挿入されたディスクカートリッジを所定位置にローディングするローディング機構と、を備えたディスクドライブ装置であって、
識別マークを有するディスクカートリッジが前記カートリッジ挿入室に挿入されたときに、前記識別マークを検出する検出手段と、
前記検出手段での検出結果によって、前記ローディング機構を起動させて当該ディスクカートリッジを前記所定位置にローディングさせる制御手段と、を備えたことを特徴とするディスクドライブ装置。
【請求項７】
請求項６に記載のディスクドライブ装置において、
前記ディスクカートリッジには、前記識別マークとして凹凸パターンが形成され、
前記検出手段は、前記凹凸パターンに接触して該凹凸パターンを検出する機械的センサであることを特徴とするディスクドライブ装置。
【請求項８】
請求項６に記載のディスクドライブ装置において、
前記ディスクカートリッジには、前記識別マークとして、光の反射率が所定値以上の部分と所定値未満の部分とからなる光学的パターンが形成され、
前記検出手段は、前記光学的パターンに向けて光を照射するとともに、前記光学的パターンからの反射光を受光する光センサであることを特徴とするディスクドライブ装置。
【請求項９】
請求項６に記載のディスクドライブ装置において、
前記ディスクカートリッジには、前記識別マークとして、光の透過率が所定値以上の部分と所定値未満の部分とからなる光学的パターンが形成され、
前記検出手段は、前記光学的パターンに向けて光を照射するとともに、前記光学的パターンを透過する光を受光する光センサであることを特徴とするディスクドライブ装置。
【請求項１０】
請求項６に記載のディスクドライブ装置において、
前記ディスクカートリッジには、前記識別マークとして、Ｎ極、Ｓ極、もしくはＮ極とＳ極とからなる磁気的パターンが形成され、
前記検出手段は、前記磁気的パターンを読み取る磁気センサであることを特徴とするディスクドライブ装置。
【請求項１１】
請求項６に記載のディスクドライブ装置において、
前記制御手段は、前記検出手段で検出した検出結果がディスクドライブ装置に適合しないディスクカートリッジであると判断したとき、警告を発することを特徴とするディスクドライブ装置。
【発明の詳細な説明】
【０００１】
【発明の属する技術分野】
本発明は、情報記録媒体としてのディスクを収納したディスクカートリッジ、およびそのディスクカートリッジに対して情報の読み書きを行うディスクドライブ装置に関する。
【０００２】
【従来の技術】
光ディスク、磁気ディスク等のディスクカートリッジは、薄型矩形状のケースと、このケース内に回転自在に収納されたディスクとを備えている。ケースにはシャッタを有する開口部が形成されており、ディスクカートリッジをディスクドライブ装置から取出したときは開口部はシャッタで閉じられているが、ディスクカートリッジをディスクドライブ装置に装填すると、シャッタは開けられる。そして、読み書きヘッドは開口部を介してディスクとの間で情報のやり取りを行うことができるようになっている（例えば、特許文献１参照）。
【０００３】
【特許文献１】
特開２００２−２６０３５９号公報
【０００４】
【発明が解決しようとする課題】
しかしながら、上記従来の技術では、規格が異なっていて記録方式（例えば記録密度等）の異なるディスクカートリッジをカートリッジ挿入口に挿入すると、サイズがほぼ同じであれば、ディスクドライブ装置内にディスクカートリッジがローディングされてしまい、誤動作を起こすという問題がある。
【０００５】
本発明の課題は、ディスクドライブ装置に適応していないディスクカートリッジが挿入されたときは、そのことを利用者に速やかに知らせることのできるディスクカートリッジ、およびそのディスクカートリッジ用のディスクドライブ装置を提供することにある。
【０００６】
【課題を解決するための手段】
上記課題を解決するために、本発明は、情報記録媒体としてのディスクと、前記ディスクが回転自在に収納されたケースとを備え、前記ケースには、前記ディスクを収納してディスクドライブ装置に装填されたときに、前記ディスクが前記ディスクドライブ装置に適合しているか否かを識別可能な識別マークが設けられていることを特徴としている。
【０００７】
上記構成によれば、識別マークがケースに設けられているので、ディスクカートリッジをディスクドライブ装置に装填したときに識別マークがディスクドライブ装置によって読み取られ、そのディスクカートリッジがディスクドライブ装置に適応しているか否か判断され、適応している場合だけローディングされる。これによって、利用者は、ディスクドライブ装置に装填したディスクカートリッジが当該ディスクドライブ装置に対応したものであるかどうかを容易に認識できる。
【０００８】
前記識別マークとしては、
▲１▼凹凸パターン、
▲２▼光の反射率が所定値以上の部分と所定値未満の部分とからなる光学的パターン、
▲３▼光の透過率が所定値以上の部分と所定値未満の部分とからなる光学的パターン、
▲４▼Ｎ極、Ｓ極、もしくはＮ極とＳ極とからなる磁気的パターンがある。
【０００９】
また、本発明は、カートリッジ挿入室と、前記カートリッジ挿入室に挿入されたディスクカートリッジを所定位置にローディングするローディング機構と、を備えたディスクドライブ装置であって、識別マークを有するディスクカートリッジが前記カートリッジ挿入室に挿入されたときに、前記識別マークを検出する検出手段と、前記検出手段での検出結果によって、前記ローディング機構を起動させて当該ディスクカートリッジを前記所定位置にローディングさせる制御手段と、を備えたことを特徴としている。
【００１０】
上記構成によれば、カートリッジ挿入口にディスクカートリッジが挿入されると、そのディスクカートリッジの識別マークが検出手段によって検出される。検出結果は制御手段に取り込まれ、識別マークのパターンが予め記憶した所定パターンに合致するか否か判定され、合致している場合は、ローディング機構を起動させてディスクカートリッジを所定位置にローディングさせる。これによって、利用者は、カートリッジ挿入口に挿入したディスクカートリッジが当該ディスクドライブ装置に対応したものであるかどうかを容易に認識できる。
【００１１】
前記検出手段としては、以下の▲１▼〜４の各センサが考えられる。
▲１▼前記ディスクカートリッジに、前記識別マークとして、凹凸パターンが形成されているとき、前記凹凸パターンに接触して該凹凸パターンを検出する機械的センサを設ける。
▲２▼前記ディスクカートリッジに、前記識別マークとして、光の反射率が所定値以上の部分と所定値未満の部分とからなる光学的パターンが形成されているとき、前記光学的パターンに向けて光を照射するとともに、前記光学的パターンからの反射光を受光する光センサを設ける。
▲３▼前記ディスクカートリッジに、前記識別マークとして、光の透過率が所定値以上の部分と所定値未満の部分とからなる光学的パターンが形成されているとき、前記光学的パターンに向けて光を照射するとともに、前記光学的パターンを透過する光を受光する光センサを設ける。
▲４▼前記ディスクカートリッジに、前記識別マークとして、Ｎ極、Ｓ極、もしくはＮ極とＳ極とからなる磁気的パターンが形成されているとき、前記磁気的パターンを読み取る磁気センサを設ける。
【００１２】
さらに、本発明では、前記制御手段は、前記検出手段で検出した検出結果がディスクドライブ装置に適合しないディスクカートリッジであると判断したとき、警告を発することを特徴としている。このようにすれば、利用者は、カートリッジ挿入口に挿入したディスクカートリッジが間違ったものであると直ちに認識できる。
【００１３】
【発明の実施の形態】
以下、本発明の実施の形態を図面に従って説明する。
図１１は、ディスクカートリッジ１の正面図である。ディスクカートリッジ１は薄型矩形状のケース２を有し、このケース２の内部には、図１２に示すような情報記憶媒体としてのディスク３が回転自在に収納されている。また、ケース２には矩形状の開口部４（図１３参照）が形成され、この開口部４にはシャッタ５が設けられている。シャッタ５はバネ等の付勢部材（図示省略）により図１１の矢印Ａ１方向に付勢され、通常、開口部４はシャッタ５により閉じられている。
【００１４】
図示していないディスクドライブ装置にディスクカートリッジ１を装填すると、図１３に示すように、シャッタ５が開けられて開口部４を介して、アクセス手段としての磁気ヘッドまたは光ヘッド等によって、ディスク３に情報を書き込んだり、ディスク３から情報を読み込んだりすることができる。
【００１５】
ディスクドライブ装置には、図１４に示すように、シャッタ操作アーム６が支軸７を中心にして矢印Ｂ１，Ｂ２方向に回動自在に設けられている。シャッタ操作アーム６は、常時、バネ等の付勢部材（図示省略）で矢印Ｂ２方向に付勢され、ディスクカートリッジ１がカートリッジ挿入室（図示省略）に挿入されていないときは、図の実線で示す位置にある。
【００１６】
シャッタ操作アーム６の先端にはローラ８が回動自在に設けられ、ディスクカートリッジ１をカートリッジ挿入室に矢印Ｃ１方向に挿入すると、シャッタ５の上端部に形成されたシャッタ開放穴９にローラ８が係合する。そして、ディスクカートリッジ１を更に奥に挿入すると、シャッタ操作アーム６はディスクカートリッジ１に押されて矢印Ｂ１方向に回動しながら、シャッタ開放穴９に係合したローラ８がシャッタ５を矢印Ａ２方向に移動させる。このとき、シャッタ操作アーム６は図の二点鎖線で示す位置まで回動する。これにより、開口部４は、図１５に示すように開口し、ディスク２に対して情報の書き込みや情報の読み込みが可能な状態となる。
【００１７】
（実施の形態１）
図１は、実施の形態１によるディスクカートリッジ１の正面図である。本実施の形態では、ケース２の上端部１０に識別マークとして凹凸パターン１１が設けられている。
【００１８】
凹凸パターン１１は、図２（ａ）に示すように、６つの凹部が図１の左右方向に並んで設けられており、この６つの凹部は、ケース２の上端部１０より一段下がった一段目凹部１２と、一段目凹部１２よりも更に一段下がった二段目凹部１３とのいずれかから構成されている。本実施の形態では、図２の左側から１番目、３番目および６番目に二段目凹部１３が形成されている。凹凸パターン１１は、ディスクカートリッジ１をディスクドライブ装置に装填したとき、そのディスクドライブ装置にディスク３が適合しているか否か（例えば、記録方式が一致しているか否か）を識別するためのもので、各ディスクカートリッジ毎に予め設定されている。
【００１９】
一方、ディスクドライブ装置のカートリッジ挿入室には、機械的センサとしての検出スイッチ１４が設けられている。検出スイッチ１４には矢印Ｄ１，Ｄ２方向に移動可能な、凹凸パターン１１の凹部に対応する６個のピン１４Ａ〜１４Ｆが設けられ、これらのピン１４Ａ〜１４Ｆは、検出スイッチ１４本体内に設けられた弾性体（図示省略）により、常時矢印Ｄ２方向に付勢されている。
【００２０】
そして、ディスクカートリッジ１をカートリッジ挿入室に挿入して、上端部１０が所定位置に達するまで押し込むと、検出スイッチ１４は、図２（ｂ）に示すように、凹凸パターン１１の一段目凹部１２に嵌合する。このとき、矢印Ｄ２方向に付勢されたピン１４Ａ〜１４Ｆのうち、ピン１４Ａ，１４Ｃ，１４Ｆは二段目凹部１３に入り込むが、ピン１４Ｂ，１４Ｄ，１４Ｅは、対応箇所に二段目凹部１３が形成されていないので、一段目凹部１２の底面に当たって検出スイッチ１４の本体内部に押し込まれる。
【００２１】
検出スイッチ１４の内部には、ピン１４Ａ〜１４Ｆが検出スイッチ１４の本体内部に押し込まれているか否かに応じてＯＮ・ＯＦＦの２値信号（６ビット）を出力する信号出力部が設けられている。本実施の形態では、ピン１４Ｂ，１４Ｄ，１４Ｅが検出スイッチ１４の本体内部に押し込まれるので、ピン１４Ｂ，１４Ｄ，１４Ｅに対応するビットがＯＮとなり、ピン１４Ａ，１４Ｃ，１４Ｆに対応するビットがＯＦＦとなって、検出スイッチ１４からは、図２（ｃ）に示すように、正論理でビット列「０１０１１０」の信号が出力される。
【００２２】
検出スイッチ１４からの出力信号は、図３に示すように、３個の否定論理１５Ａ，１５Ｃ，１５Ｆと１個の論理積１６とからなる論理回路１７に入力される。すなわち、ピン１４Ａに対応して出力されるビット信号Ｓ１は否定論理１５Ａを介して論理積１６に、ピン１４Ｂに対応して出力されるビット信号Ｓ２はそのまま論理積１６に、ピン１４Ｃに対応して出力されるビット信号Ｓ３は否定論理１５Ｃを介して論理積１６に、ピン１４Ｄに対応して出力されるビット信号Ｓ４はそのまま論理積１６に、ピン１４Ｅに対応して出力されるビット信号Ｓ５もそのまま論理積１６に、ピン１４Ｆに対応して出力されるビット信号Ｓ６は否定論理１５Ｆを介して論理積１６にそれぞれ入力される。そして、論理積１６からはイネーブル信号が出力される。
【００２３】
また、ディスクドライブ装置には、図４に示すようなモータドライバ１８と、このモータドライバ１８によって回転が制御されるモータ１９とが設けられている。モータ１９はローディング機構を駆動するためのもので、ディスクカートリッジ１がカートリッジ挿入口に挿入されたときに、ローディング機構を駆動してディスクカートリッジ１を所定位置（スピンドル）までローディングする。なお、前記スピンドルは、ディスク３を回転させるための回転駆動手段としてのモータに直結されている。また、図４において、２０は電源である。
【００２４】
上記構成において、図５に示すように、カートリッジ挿入口にディスクカートリッジ１をＣ１方向に挿入して所定位置まで押し込むと、上端部１０に形成された凹凸パターン１１に検出スイッチ１４が嵌合する。すると、検出スイッチ１４からは図２（ｃ）に示すビット列「０１０１１０」の信号が出力される。また、このとき、シャッタ操作アーム６先端のローラ８がシャッタ開放穴９に係合する。
【００２５】
ディスクドライブ装置には、書き込みや読み込みが可能なディスクカートリッジの種類が、図３に示した論理回路１７として設定されており、検出スイッチ１４からのビット列「０１０１１０」の信号は、ビット列「１１１１１１」に変換されてから論理積１６に入力されるので、論理積１６からイネーブル信号が出力される。つまり、ディスクドライブ装置は、カートリッジ挿入口に挿入されたディスクカートリッジ１が当該ドライブ装置に対応したものであると判断したのである。
【００２６】
上記イネーブル信号は、図４に示すようにモータドライバ１８に入力される。モータドライバ１８には、イネーブル信号以外に、モータ１９の正回転／逆回転の制御のための制御信号ＣＷ／ＣＣＷと、イジェクトボタンが押されたときのモータ１９の制御信号ＯＮ／ＯＦＦとが入力される。
【００２７】
モータドライバ１８は、イネーブル信号が入力されたときに、モータ１９を回転させてローディング機構を駆動して、ディスクカートリッジ１を矢印Ｃ１方向にローディングさせる。すると、図５に示すように、シャッタ操作アーム６はディスクカートリッジ１に押されて、矢印Ｂ１方向に回動しながら、シャッタ開放穴９に係合したローラ８がシャッタ５を矢印Ａ２方向に移動させる。これによって、開口部４が開けられる。
【００２８】
なお、モータドライバ１８における真理値表を表１に示す。表１において、モータ１９の順方向の回転はディスクカートリッジ１を矢印Ｃ１方向にローディングさせることであり、逆方向の回転はイジェクト時の回転でディスクカートリッジ１を矢印Ｃ１方向とは反対方向にローディングさせることである。
【００２９】
【表１】
2004241025.tif 000003
【００３０】
検出センサ１４は、ディスクカートリッジ１が載置される受け台（図示省略）上に設けられている。この受け台はローディング機構の一部を構成しており、モータ１９の回転によって移動する。つまり、ディスクカートリッジ１をカートリッジ挿入口に挿入したときは、検出センサ１４は図の実線で示す位置にあるが、ディスクカートリッジ１の移動と共に矢印Ｅ１方向に移動して、二点鎖線で示す位置にくる。
【００３１】
図６は、開口部４が開けられてディスク３が露出し、ディスク３に対する読み書きが可能となった状態を示している。また検出センサ１４は、上述したようにディスクカートリッジ１と共に移動して、凹凸パターン１１に嵌合したままの状態となっている。
【００３２】
本実施の形態によれば、凹凸パターン１１の形状が異なるディスクカートリッジがカートリッジ挿入口に挿入されたときは、検出スイッチ１４からのビット列の信号が論理回路１７にマッチしないので、そのディスクカートリッジがローディング機構によってローディングされることはなく、ディスクドライブ装置が誤動作を起こすのを未然に防止できる。
【００３３】
なお、凹凸パターン１１の形状が異なるディスクカートリッジがカートリッジ挿入口に挿入されたときには、挿入されたディスクカートリッジが間違っている旨の警告を発するように構成することができる。この場合、警告を表示部に表示してもよいし、音で警告してもよい。
【００３４】
また、本実施の形態では、検出センサ１４は凹凸パターン１１に接触してパターン形状を検出するタイプであったが、光等を利用して凹凸パターン１１に非接触でパターン形状を読み取るようにしてもよい。
【００３５】
（実施の形態２）
図７は、実施の形態２によるディスクカートリッジ１の正面図である。本実施の形態では、ケース２の上端部１０付近に識別マークとして光学的パターン２１が設けられている。
【００３６】
光学的パターン２１は、図８（ａ）に示すように、６つの反射部分が図７の左右方向に並んで設けられており、この６つの反射部分は、光の反射率が所定値以上の高反射部分２２と所定値未満の低反射部分２３とからなっている。本実施の形態では、図８（ａ）の左側から２番目、４番目および５番目に高反射部分２２が形成されている。光学的パターン２１は、ディスクカートリッジ１をディスクドライブ装置に装填したとき、そのディスクドライブ装置にディスクが適合しているか否か（例えば、記録方式が一致しているか否か）を識別するためのもので、各ディスクカートリッジ毎に予め設定されている。
【００３７】
一方、ディスクドライブ装置のカートリッジ挿入室には、光センサ２４が設けられている。
【００３８】
そして、ディスクカートリッジ１をカートリッジ挿入室に挿入して、上端部１０が所定位置に達するまで押し込むと、光センサ２４は、光学的パターン２１に向かって光を照射するとともに、光学的パターン２１からの反射光を受光する。このとき、高反射部分２２での反射光は光の強さが所定レベル以上であり、低反射部分２３での反射光は光の強さが所定レベル未満であるから、光センサ２４は光学的パターン２１からの反射光を受光して、図８（ｂ）に示すように、正論理でビット列「０１０１１０」の信号を出力する。
【００３９】
光センサ２４から出力されるビット列「０１０１１０」の信号は、実施の形態１で示したように、論理回路１７に入力されて、論理回路１７からはイネーブル信号が出力され、さらにイネーブル信号はモータドライバ１８に入力される。これによって、ディスクドライブ装置は、カートリッジ挿入室に挿入されたディスクカートリッジが当該ディスクドライブ装置に対応したものであると判断することができる。そして、モータ１９（図４参照）が回転駆動されローディング機構を駆動されることにより、ディスクカートリッジは所定位置までローディングされる。
【００４０】
本実施の形態によれば、ディスクカートリッジ１のケース２表面に、光学的パターン２１を印刷したり、または光学的パターン２１が印刷されたシールを貼り付けたりするだけでよいから、容易に実現可能である。
【００４１】
なお、光学的パターンとして、光の透過率が所定値以上の部分と所定値未満の部分とからなる光学的パターンを、ディスクカートリッジ１の上端部１０付近に設けてもよい。この場合、ディスクドライに装置には発光ダイオードおよびフォトダイオード等が設けられる。
【００４２】
（実施の形態３）
図９は、実施の形態３によるディスクカートリッジ１の正面図である。本実施の形態では、ケース２の上端部１０付近に識別マークとして磁気的パターン３１が設けられている。
【００４３】
磁気的パターン３１は、図１０（ａ）に示すように、両端にＮ極とＳ極を有する磁石片３２が左右方向に配列されたパターンからなっている。本実施の形態では、左側から２番目、４番目および５番目の磁石片３２は上部がＳ極に、左側から１番目、３番目および６番目の磁石片３２は上部がＮ極になっている。磁気的パターン３１は、ディスクカートリッジ１をディスクドライブ装置に装填したとき、そのディスクドライブ装置にディスクが適合しているか否か（例えば、記録方式が一致しているか否か）を識別するためのもので、各ディスクカートリッジ毎に予め設定されている。
【００４４】
ディスクドライブ装置のカートリッジ挿入室には、磁気センサ３４が設けられている。
【００４５】
そして、ディスクカートリッジ１をカートリッジ挿入室に挿入して、上端部１０が所定位置に達するまで押し込むと、磁気パターン３１が磁気センサ３４に当接する。そして、磁気センサ３４は磁気パターン３１のＮ極およびＳ極の配列を読み込む。本実施の形態では、Ｎ極を読み込んだときはＬレベル（ＯＦＦ）に、Ｓ極を読み込んだときはＨレベル（ＯＮ）にそれぞれ設定されており、磁気センサ３４からは、図１０（ｂ）に示すように、正論理でビット列「０１０１１０」の信号が出力される。
【００４６】
磁気センサ３４から出力されるビット列「０１０１１０」の信号は、実施の形態１で示したように、論理回路１７に入力されて、論理回路１７からはイネーブル信号が出力され、さらにイネーブル信号はモータドライバ１８に入力される。これによって、ディスクドライブ装置は、カートリッジ挿入室に挿入されたディスクカートリッジが当該ディスクドライブ装置に対応したものであると判断することができる。そして、モータ１９（図４参照）が回転駆動されローディング機構を駆動されることにより、ディスクカートリッジは所定位置までローディングされる。
【００４７】
本実施の形態によれば、ディスクカートリッジ１のケース２表面に、磁気的パターン３１を印刷したり、または磁気的パターン３１が印刷されたシールを貼り付けたりするだけでよいから、容易に実現可能である。
【００４８】
【発明の効果】
以上説明したように、本発明によれば、ディスクドライブ装置に適応しないディスクカートリッジが当該ディスクドライブ装置に装填されたときは、ディスクカートリッジはローディングされないので、ディスクドライブ装置が誤動作を起こすのを未然に防止できる。
【図面の簡単な説明】
【図１】実施の形態１によるディスクカートリッジの正面図である。
【図２】（ａ）は凹凸パターンと検出スイッチの構成図、（ｂ）は凹凸パターンに検出スイッチが嵌合した様子を示す図、（ｃ）は検出スイッチから出力される信号パターンを示す図である。
【図３】論理回路の構成図である。
【図４】ローディング用のモータの駆動回路である。
【図５】ディスクドライブ装置に挿入されたディスクカートリッジを示す図である。
【図６】ローディング後のディスクカートリッジを示す図である。
【図７】実施の形態２によるディスクカートリッジの正面図である。
【図８】（ａ）は光学的パターンと光センサの構成図、（ｂ）は光センサから出力される信号パターンを示す図である。
【図９】実施の形態３によるディスクカートリッジの正面図である。
【図１０】（ａ）は磁気的パターンと磁気センサの構成図、（ｂ）は磁気センサから出力される信号パターンを示す図である。
【図１１】ディスクカートリッジの正面図である。
【図１２】ディスクの正面図である。
【図１３】シャッタが開けられたときのディスクカートリッジの正面図である。
【図１４】シャッタ操作アームがシャッタを開ける様子を説明した図である。
【図１５】シャッタ操作アームによってシャッタが開けられた様子を示す図である。
【符号の説明】
１  ディスクカートリッジ
２  ケース
３  ディスク
４  開口部
５  シャッタ
６  シャッタ操作アーム
１１  凹凸パターン
１４  検出スイッチ
１７  論理回路
１８  モータドライバ
１９  モータ
２１  光学的パターン
２２  高反射部分
２３  低反射部分
２４  光センサ
３１  磁気的パターン
３２  磁石片
３４  磁気センサ
【図１】
2004241025.tif 000004
【図２】
2004241025.tif 000005
【図３】
2004241025.tif 000006
【図４】
2004241025.tif 000007
【図５】
2004241025.tif 000008
【図６】
2004241025.tif 000009
【図７】
2004241025.tif 000010
【図８】
2004241025.tif 000011
【図９】
2004241025.tif 000012
【図１０】
2004241025.tif 000013
【図１１】
2004241025.tif 000014
【図１２】
2004241025.tif 000015
【図１３】
2004241025.tif 000016
【図１４】
2004241025.tif 000017
【図１５】
2004241025.tif 000018